(57)【特許請求の範囲】
【請求項１】
防音材によって覆われた圧縮機用金属部材を有する空調機用室外機内の圧縮機の腐食診断を行う圧縮機腐食診断器において、
前記腐食診断に用いる診断用金属部材と、
前記診断用金属部材と接触固定してあり、水分を保持する保水部材と、
前記保水部材が保持する前記水分を貯留する容器部材とを備え、
前記保水部材に接触固定された前記診断用金属部材は、前記容器部材内に配置してある
ことを特徴とする圧縮機腐食診断器。
【請求項２】
前記診断用金属部材は、前記圧縮機用金属部材と同じ金属で構成してある
ことを特徴とする請求項１に記載の圧縮機腐食診断器。
【請求項３】
前記保水部材は、前記防音材と同じ材料で構成してある
ことを特徴とする請求項１または２に記載の圧縮機腐食診断器。
【請求項４】
前記容器部材は、上方に開口された開口部と、下方に前記水分を貯留する不開口の貯留部とを備え、
前記診断用金属部材および前記保水部材は、前記貯留部上で前記下方から前記上方へ延出するように配置してある
ことを特徴とする請求項１〜３のいずれか１項に記載の圧縮機腐食診断器。
【請求項５】
前記容器部材は、貯留した前記水分を排出する排水部を備える
ことを特徴とする請求項１〜４のいずれか１項に記載の圧縮機腐食診断器。
【請求項６】
防音材によって覆われた圧縮機用金属部材を有する空調機用室外機内の圧縮機の腐食診断を行う圧縮機腐食診断方法において、
水分を保持する保水部材に接触固定され前記腐食診断に用いる診断用金属部材を準備する診断用金属部材準備ステップと、
前記診断用金属部材準備ステップで準備した前記診断用金属部材を、前記保水部材が保持する前記水分を貯留するよう構成された容器部材内に配置する配置ステップと、
前記配置ステップによって配置された前記診断用金属部材を用いて前記腐食診断を行う診断ステップとを備える
ことを特徴とする圧縮機腐食診断方法。
【発明の詳細な説明】
【技術分野】
【０００１】
本発明は、圧縮機の腐食を評価する圧縮機腐食診断器および圧縮機腐食診断方法に関するものであり、具体的には、空調機の圧縮機の腐食を評価する圧縮機腐食診断器および圧縮機腐食診断方法に関する。
【背景技術】
【０００２】
空調機用室外機内の圧縮機は、主として、鋼板等の金属部材によって構成されている。このような圧縮機を含んだ空調機用室外機は、基本的に屋外に設置される。屋外において雨水などの水分の付着、または海塩などの飛来塩分の付着が発生した場合、金属部材の腐食が進行し得る。【０００３】
鋼板等の部材の腐食を評価して空調機用室外機内の圧縮機を診断する腐食診断技術が知られている。例えば、空調機用室外機が暴露される暴露環境を再現しながら圧縮機の腐食劣化程度を診断する腐食診断技術が知られている。当腐食診断技術においては、耐食性評価用のための金属試料を準備し、準備した金属試料に大気暴露を行い、大気暴露を行った金属試料への飛沫の付着有無をセンサでモニタリングすることによって、圧縮機の腐食劣化程度を診断する態様が提案されているが用いられている（例えば、特許文献１）。
【先行技術文献】
【特許文献】
【０００４】
【特許文献１】特開２０１８−１２８４２１号
【発明の概要】
【発明が解決しようとする課題】
【０００５】
上述したような従来の腐食診断技術を用いた場合、金属部材を備えるような圧縮機の耐食性を診断することは可能かもしない。しかしながら空調機用室外機内の圧縮機においては、運転時の騒音対策のために金属部材が繊維質の防音材によって覆われている。金属部材が単独で環境に曝されている場合と防音材に覆われた金属部材が環境に曝されている場合とでは、圧縮機の金属部材の腐食状況は異なり得る。そのため、上述したような従来の腐食診断技術を用いた場合、空調機用室外機内の圧縮機の腐食診断精度が十分には得られない虞があった。【０００６】
本発明は、上記のような課題を解決するためになされたものであり、防音材によって覆われた金属部材を有する空調機用室外機内の圧縮機に対し、圧縮機の腐食診断精度を向上し得る圧縮機腐食診断器および圧縮機腐食診断方法を提供することを目的とする。
【課題を解決するための手段】
【０００７】
本発明の一側面に係る圧縮機腐食診断器は、防音材によって覆われた圧縮機用金属部材を有する空調機用室外機内の圧縮機の腐食診断を行う圧縮機腐食診断器であり、腐食診断に用いる診断用金属部材と、診断用金属部材と接触固定してあり、水分を保持する保水部材と、保水部材が保持する水分を貯留する容器部材とを備え、保水部材に接触固定された診断用金属部材は、容器部材内に配置してある。【０００８】
本発明の一側面に係る圧縮機腐食診断方法は、防音材によって覆われた圧縮機用金属部材を有する空調機用室外機内の圧縮機の腐食診断を行う圧縮機腐食診断方法であり、水分を保持する保水部材に接触固定され腐食診断に用いる診断用金属部材を準備する診断用金属部材準備ステップと、診断用金属部材準備ステップで準備した診断用金属部材を、保水部材が保持する水分を貯留するよう構成された容器部材内に配置する配置ステップと、配置ステップによって配置された診断用金属部材を用いて腐食診断を行う診断ステップとを備える。
【発明の効果】
【０００９】
本発明の一側面においては、防音材によって覆われた金属部材を有する空調機用室外機内の圧縮機に対し、圧縮機の腐食診断精度を向上し得る圧縮機腐食診断器および圧縮機腐食診断方法を提供することが可能となる。
【図面の簡単な説明】
【００１０】
【図１】実施の形態１における圧縮機腐食診断器の構成を示す模式図である。
【図２】実施の形態１における圧縮機腐食診断器の設置例を示す模式図である。
【図３】実施の形態２における圧縮機腐食診断器の構成を示す模式図である。
【発明を実施するための形態】
【００１１】
以下、図面を参照し、圧縮機用金属部材が繊維質の防音材によって覆われている空調機用室外機の内部に配置された圧縮機の腐食状況を診断する圧縮機腐食診断器および圧縮機腐食診断方法の一例について説明する。
【００１２】
実施の形態１．
図１は、実施の形態１における圧縮機腐食診断器１０の構成を示す模式図である。当圧縮機腐食診断器１０は、金属板１と、保水体２と、容器３と、固定具４とで構成してある。
【００１３】
金属板１は、鋼板又は塗装鋼板などの金属材料で構成される部材である。金属板１は、圧縮機腐食診断器１０の診断対象となる空調機用室外機１２内圧縮機の金属部材と同材料で構成した板状部材であり、診断に用いる診断用金属部材である。
【００１４】
保水体２は、水分保持が可能な部材であり、不織布などによって構成してある。保水体２は、圧縮機腐食診断器１０の診断対象となる空調機用室外機１２内圧縮機の金属部材を覆っている防音材と同材料で構成した板状の保水部材である。保水体２は、金属部材が繊維質の防音材によって覆われている状況を模倣するため、金属板１と同形状になるように構成してある。
【００１５】
容器３は、圧縮機腐食診断器１０の診断対象となる圧縮機を搭載した空調機用室外機１２を取り巻く大気環境から雨水、飛来塩分等の外来因子を取り込み、取り込んだ外来因子を保持するための容器部材であり、保水体２が保持する水分を貯留可能な容器部材である。容器３は、外来因子を取り込むために上方が開口された開口部５と、開口部５から取り込んだ外来因子を貯留するために下方が開口していない不開口の貯留部６とを備える。本実施の形態１に係る一例の容器３は、容器３自身による金属板１への腐食影響を抑制するため、樹脂材料を用いて構成してある。
【００１６】
固定具４は、保水体２を金属板１に接触固定するための固定部材である。固定具４が保水体２を金属板１に接触固定することによって、金属部材が繊維質の防音材によって覆われている空調機用室外機１２内圧縮機の状況を模倣することが可能となる。本実施の形態１に係る一例の固定具４は、固定具４自身による金属板１への腐食影響を抑制するため、樹脂材料を用いて構成してある。
【００１７】
実施の形態１における圧縮機腐食診断器１０は、図１に示すように、固定具４によって保水体２が接触固定された金属板１が容器３の貯留部６から開口部５を通して上方に延出するように配置してある。このように配置してあるため、実施の形態１における圧縮機腐食診断器１０では、貯留部に貯留した水分または水分中に溶け込んだ飛来塩分等の外来因子が毛細管現象によって保水体２に浸透して保持される。そのため、固定具４によって保水体２へ接触固定された金属板１は、設置した容器３の下方にあたる貯留部６近傍だけでなく、開口部５および固定具４の上方においても、外来因子の影響を受けることになる。したがって、金属部材が繊維質の防音材によって覆われている空調機用室外機１２内圧縮機の状況を再現して模倣することが可能となる。  
【００１８】
図２は、実施の形態１における圧縮機腐食診断器１０の設置例を示す模式図である。圧縮機腐食診断器１０は、空調機用室外機１２を取り巻く大気環境から雨水、飛来塩分等の外来因子を取り込むことができるように、網状の筐体を有する空調機用腐食環境評価装置１１内に配置してある。圧縮機腐食診断器１０が配置された空調機用腐食環境評価装置１１は、診断対象となる空調機用室外機１２に配置してある。
【００１９】
図２の一例に係る実施の形態１においては、室外機ファンの吹き出し口近傍に圧縮機腐食診断器１０を配置してある。室外機ファンの吹き出し口近傍に配置することによって、診断対象となる空調機用室外機１２内圧縮機の温湿度状態、外来因子の飛来状況等をより高精度に再現して模倣することが可能となる。したがって、防音材によって覆われた金属部材を有する空調機用室外機１２内の圧縮機に対し、圧縮機の腐食診断精度を向上し得る圧縮機腐食診断器１０および圧縮機腐食診断方法を提供することが可能となる。
【００２０】
図２の一例に係る実施の形態１においては、室外機ファンの吹き出し口近傍に圧縮機腐食診断器１０を配置する際、金属板１と保水体２との組み合わせを金属板１と保水体２とが左右に並設された並設体と考えた場合に、吹き出し口からのファンの吹き出し方向が並設体の前後方向となるように構成してある。具体的には、図１および図２の例の場合、圧縮機腐食診断器１０を示した図１の紙面と図２の吹き出し口の開口面とが対向するように、室外機ファンの吹き出し口近傍に圧縮機腐食診断器１０を配置する。このように配置することによって、金属板１だけでなく保水体２にも、外来因子が飛来し得るようになり、また金属板１および保水体２だけでなく金属板１と保水体２との接触部位にも外来因子が飛来し得るようになる。したがって、多様な部位の腐食状況を再現できるようになり、圧縮機の腐食診断精度を向上し得る圧縮機腐食診断器１０および圧縮機腐食診断方法を提供することが可能となる。
【００２１】
上述した実施の形態１に係る圧縮機腐食診断器１０を用いた圧縮機腐食診断方法を説明する。当圧縮機腐食診断方法では、固定具４によって保水体２が接触固定された金属板１を準備する。準備した金属板１を、容器３の開口部５を通して上方へ延出するよう容器３の貯留部６に設置する。容器３の貯留部６に金属板１および保水体２を設置した圧縮機腐食診断器１０を、空調機用室外機１２近傍に配置する。空調機用室外機１２近傍に配置した圧縮機腐食診断器１０を、所定の期間、空調機用室外機１２と同様の環境に暴露する。所定の期間が経過した場合、圧縮機腐食診断器１０を回収して金属板１の腐食状況を確認し、確認した金属板１の腐食状況に基づいて圧縮機の腐食の診断を行う。
【００２２】
上述した実施の形態１においては、実際に設置された空調機用室外機１２の近傍に圧縮機腐食診断器１０を配置する一例について説明した。しかしながら本発明は、当一例に限定されない。腐食診断の対象となる空調機用室外機１２が配置される予定地、例えば、ビルの屋上、家屋の壁面、ベランダ、バルコニー、地面などの屋外に配置し、その予定地における腐食状況の予測に使用してもよい。
【００２３】
上述した実施の形態１においては、板状の金属部材、板状の保水体を用いる一例について説明した。しかしながら本発明は、当一例に限定されない。金属部材および保水体として棒状、柱状などの部材を用いる形態でもよい。棒状、柱状などの部材を用いる構成とすることにより、圧縮機腐食診断器１０の構築柔軟性が向上し得る。
【００２４】
実施の形態２．
実施の形態２に係る圧縮機腐食診断器１０は、実施の形態１に係る構成に加え、容器３に貯留された水分を排出する排水部７を更に備える。実施の形態１に係る圧縮機腐食診断器１０と同様の構成には、同じ符号を付し、特に必要のない限り説明を省略する。以下、実施の形態１に係る構成と異なる箇所に焦点を当てて説明する。
【００２５】
腐食の進行には、金属と水分と空気との三相界面の存在が必要である。しかしながら容器３に水分が過度に貯留され、水中に沈む金属板１の領域が大きくなった場合、空気が少なくなり三相界面が縮小され、圧縮機腐食診断器１０内での腐食進行状況と診断対象となる空調機用室外機１２内圧縮機での腐食進行状況とが大きく乖離する虞がある。そのため、実施の形態２に係る圧縮機腐食診断器１０は、容器３に貯留された水分を排出する排水部７を更に備える。
【００２６】
図３は、実施の形態２における圧縮機腐食診断器１０の構成を示す模式図である。排水部７は、開口部５と貯留部６との間の容器３部分に配置してある。排水部７は、容器３が貯留した水量が所定値以上となった場合に排水する孔である。排水部７の孔形状は、円形でもよく、矩形でもよく、開閉可能に構成してもよく、加工の容易さによって選択することが可能である。
【００２７】
実施の形態２では、排水部７が容器３の側面に配置される一例の構成について説明していた。しかしながら本発明は、当一例に限定されなし。容器３の貯留部６の底面に配置してもよく、開閉可能に構成してもよい。そのため実施の形態２に係る圧縮機腐食診断器１０は、実施の形態１に係る圧縮機腐食診断器１０に対して排水部７を更に設ける構成としているが、設計の柔軟性を確保する事が可能となる。
【符号の説明】
【００２８】
１  金属板、２  保水体、３  容器、４  固定具、５  開口部、６  貯留部、１０  圧縮機腐食診断器、１１  空調機用腐食環境評価装置、１２  室外機
【要約】
圧縮機腐食診断器は、防音材によって覆われた圧縮機用金属部材を有する空調機用室外機内の圧縮機の腐食診断を行う圧縮機腐食診断器である。当圧縮機腐食診断器は、腐食診断に用いる診断用金属部材と、診断用金属部材と接触固定してあり、水分を保持する保水部材と、保水部材が保持する水分を貯留する容器部材とを備える。保水部材に接触固定された診断用金属部材は、容器部材内に配置してある。圧縮機腐食診断方法は、水分を保持する保水部材に接触固定され腐食診断に用いる診断用金属部材を準備する診断用金属部材準備ステップと、診断用金属部材準備ステップで準備した診断用金属部材を、保水部材が保持する水分を貯留するよう構成された容器部材内に配置する配置ステップと、配置ステップによって配置された診断用金属部材を用いて腐食診断を行う診断ステップとを備える。【図１】
0006958771.tif 000002
【図２】
0006958771.tif 000003
【図３】
0006958771.tif 000004